【手続補正書】
【提出日】平成16年11月10日(2004.11.10)
【手続補正１】
【補正対象書類名】明細書
【補正対象項目名】発明の名称
【補正方法】変更
【補正の内容】
【発明の名称】トロイダル型無段変速装置のパワーローラ軸受、およびこのパワーローラ軸受の内輪、外輪の製造方法
【手続補正２】
【補正対象書類名】明細書
【補正対象項目名】特許請求の範囲
【補正方法】変更
【補正の内容】
【特許請求の範囲】
【請求項１】
入力ディスクと出力ディスクとの間に揺動自在に設けられかつ入力軸の回転に基く動力を出力軸へと伝達するトロイダル型無段変速装置のパワーローラ軸受において、
前記パワーローラ軸受は、内輪と外輪と転動体とを備え、
前記内輪は、円環状に形成され、かつ前記入出力ディスクに転接自在なトラクション面と、端面に設けられた円環状の軌道溝とを備え、前記トラクション面と軌道溝の表面とのうち少なくとも一方に沿ったメタルフローを有し、
前記外輪は、円環状に形成され、かつ端面に設けられた円環状の軌道溝を備え、前記軌道溝の表面に沿うメタルフローを有することを特徴とするトロイダル型無段変速装置のパワーローラ軸受。
【請求項２】
入力ディスクと出力ディスクとの間に揺動自在に設けられかつ入力軸の回転に基づく動力を出力軸へと伝達するトロイダル型無段変速装置のパワーローラ軸受において、円環状に形成され、かつ前記入出力ディスクに転接自在なトラクション面と、端面に設けられた円環状の軌道溝とを備え、前記トラクション面と軌道溝の表面とのうち少なくとも一方に沿ったメタルフローを有する内輪の製造方法であって、前記軌道溝の内径より小さい外径を有する円柱状でかつその軸線に沿ってメタルフローが形成されたワークを用い、前記ワークの一端面を、外周方向への広がりを拘束した状態で、軸線方向に沿って圧鍛する据え込み鍛造工程と、前記据え込み鍛造工程が施された一端面に軌道輪に相当する凹みを形成するとともに、外周面に前記トラクション面に沿った湾曲面を形成する型鍛造工程とを有することを特徴とするトロイダル型無段変速装置のパワーローラ軸受の内輪の製造方法。
【請求項３】
入力ディスクと出力ディスクとの間に揺動自在に設けられかつ入力軸の回転に基づく動力を出力軸へと伝達するトロイダル無段変速装置のパワーローラ軸受において、円環状に形成され、かつ端面に設けられた円環状の軌道溝とを備え、前記軌道溝の表面に沿うメタルフローを有する外輪の製造方法であって、前記軌道溝の内径より、小さい外径を有する円柱状でかつその軸線に沿ってメタルフローが形成されたワークを用い、前記ワークの一端面を、外周方向への広がりを拘束した状態で、軸線方向に沿って圧鍛する据え込み鍛造工程と、前記据え込み鍛造工程が施された一端面に軌道輪に相当する凹みを形成する型鍛造工程とを有することを特徴とするトロイダル型無段変速装置のパワーローラ軸受の外輪の製造方法。
【請求項４】
トロイダル型無段変速装置のパワーローラ軸受の内輪の製造方法において、ワークを加熱し、第１の金型を用いてワークの一端面を拘束した状態で圧鍛し、第２の金型を用いてワークを圧鍛し、ワークの外周面をトラクション面に沿った湾曲面に成形し、センター穴と、軌道溝に相当する凹みとを成形し、第３の金型を用いてワークに打ち抜き成形を施して、センター穴が貫通した状態に成形し、ワークに切削加工および熱処理を施すことを特徴とするトロイダル型無段変速装置のパワーローラ軸受の内輪の製造方法。
【請求項５】
トロイダル型無段変速装置のパワーローラ軸受の外輪の製造方法において、ワークを加熱し、第４の金型を用いてワークの一端面を拘束した状態で圧鍛し、第５の金型を用いてワークを圧鍛し、ワークにセンター穴と軌道溝に相当する凹みとを成形し、第６の金型を用いてワークに打ち抜き成形を施して、センター穴が貫通した状態に成形し、ワークに切削加工および熱処理を施すことを特徴とするトロイダル型無段変速装置のパワーローラ軸受の外輪の製造方法。
【手続補正３】
【補正対象書類名】明細書
【補正対象項目名】００１６
【補正方法】変更
【補正の内容】
【００１６】
前述した素材６０ａ，６０ｂから切削加工によって、削り出して製造すると、図１２（Ｂ）及び図１３（Ｂ）にように、前記内外輪６１，６２は、そのメタルフローＪが前記軸線Ｍａ，Ｍｂに沿って形成されることとなる。
【手続補正４】
【補正対象書類名】明細書
【補正対象項目名】００３８
【補正方法】変更
【補正の内容】
【００３８】
前記外輪１３は、図２（Ｂ）に示すように、円環状に形成されかつその中央に設けられたセンター穴２５が前記変位軸９に支持され、前記トラニオン８と内輪１０との間に位置している。外輪１３は、前述したように変位軸９に支持された際に、装置２０内側に位置しかつ前記内輪１０と相対する端面２６に、前記変位軸９及びセンター穴２５と同軸状に設けられかつ円環状に延びた断面円弧状の軌道溝１５を設けている。
【手続補正５】
【補正対象書類名】明細書
【補正対象項目名】００５４
【補正方法】変更
【補正の内容】
【００５４】
第４の型３９は、その端面３９ａの略中央に、前記第１のワークＷ（Ｗ１）に向って突出する中央凸部４２を一体に設けている。この中央凸部４２は、前記第１のワークＷ（Ｗ１）と接する端面４２ａが、前記端面３９ａに沿って略平坦でかつ、前記センター穴２２の内径より若干小径な円形に形成されている。
【手続補正６】
【補正対象書類名】明細書
【補正対象項目名】００６０
【補正方法】変更
【補正の内容】
【００６０】
次に、前述した内輪１０の製造工程について、図３（Ａ）、図４から図６及び図１０を参照して説明する。まず、図３（Ａ）に示すステップＳ１において、前記式１を満たしかつその外径ｄ０が軌道溝１６の内径ｄａより小径な第１のワークＷを電気炉などの適宜の加熱手段によって鍛造に適した変形しやすい温度まで加熱する。
【手続補正７】
【補正対象書類名】明細書
【補正対象項目名】００６１
【補正方法】変更
【補正の内容】
【００６１】
そして、図３（Ａ）に示すステップＳ２において、以下に示す第１の据え込み鍛造工程を行う。第１の据え込み鍛造工程において、まず図４（Ａ）に示すように、第１のワークＷを前記第１の型３１の端面３１ａ上に載置し、第２の型３２を、第１のワークＷの一端面２７が凹部３３に嵌め込まれるように近付けて、第１のワークＷを位置決めする。
【手続補正８】
【補正対象書類名】明細書
【補正対象項目名】００６３
【補正方法】変更
【補正の内容】
【００６３】
この際、第１のワークＷはその一端面２７が前記凹部３３によって拘束された状態で圧鍛されるので、そのメタルフローＪａが圧鍛後の第１のワークＷ（Ｗ１）の一端面２７において外周方向に向って広がることがない。また、他の部分において、メタルフローＪａは、圧鍛後の第１のワークＷ（Ｗ１）の外形に沿って外周方向に広がることとなる。
【手続補正９】
【補正対象書類名】明細書
【補正対象項目名】００７０
【補正方法】変更
【補正の内容】
【００７０】
また、第１のワークＷ（Ｗ２）は、第１の据え込み鍛造工程では、一端面２７においてメタルフローＪａが外周方向に向って広がらないように拘束され、かつ前記一端面２７を拘束した凹部３３が軌道溝１６の内径ｄａより小径に形成されているので、周凸部４３が当接する部分には、メタルフローＪａが途切れるエンドフローが生じていない。このため、前記メタルフローＪａは前記軌道溝１６に相当する凹み５１に沿って形成され、この凹み５１の表面にはエンドフローが生じていない。
【手続補正１０】
【補正対象書類名】明細書
【補正対象項目名】００８０
【補正方法】変更
【補正の内容】
【００８０】
また、第２の型鍛造工程に用いられる第５の金型５４の第３の型３８においては、図８に示すように、その第１の成形穴４０に、前記トラクション成形面４１に相当する部分が形成されていない。第５の金型５４の第１の成形穴４０は、その底面４０ａの近傍まで内径が略一定に形成されかつその側壁面４０ｂが第２のワークＷａ（Ｗａ１）の軸線Ｑａ（Ｑａ１）に沿って、前記底面４０ａに対し略直交する方向に沿って形成されている。
【手続補正１１】
【補正対象書類名】明細書
【補正対象項目名】００８８
【補正方法】変更
【補正の内容】
【００８８】
そして、ステップＳ４ａにおいて、以下に示す第２の打ち抜き成形工程が行われる。第２の打ち抜き成形工程は、第６の金型５５を用いて、前記第１の打ち抜き成形工程と同様に、図９（Ａ）〜（Ｂ）に示すように、前記穴５０ａの底部を構成する第２のワークＷａ（Ｗａ２）の一部を打ち抜いて除去し、前記穴５０ａが貫通した状態の第２のワークＷａ（Ｗａ３）に形成する。
【手続補正１２】
【補正対象書類名】図面
【補正対象項目名】図３
【補正方法】変更
【補正の内容】
【図３】
1999210760.tif 000001